(57)【要約】【課題】開封部側と非開封部側とを触覚により簡単に判別できるゲーブルトップ型容器を提供することを目的とする。【解決手段】ゲーブルトップ型容器は、筒状胴部２と、底部３と、切妻屋根４とを備える。切妻屋根４は、妻壁パネル４１，４３と、切妻屋根パネル４２，４４と、これらの上端が接合されて形成されるトップシール４６とで構成される。妻壁パネル４１，４３には、左右方向外側から左右方向内側に向かって水平方向に対して上方に傾斜して延びる一対の折込線４１１，４３１がそれぞれ形成され、妻壁パネル４１，４３を展開状態において重ねて比較した際、非開封部側の折込線４１１は、開封部側の折込線４３１よりも左右方向内側を通るように形成されている。【選択図】図２
2015085945.tif 000002
【特許請求の範囲】
【請求項１】
筒状胴部と、前記筒状胴部の下端に連接した底部と、前記筒状胴部の上端に連接しているとともに、前後方向で対向する開封部側および非開封部側を有する切妻屋根とを備え、前記切妻屋根は、左右方向で互いに対向する一対の切妻屋根パネルと、左右方向に交差する前後方向で互いに対向すると共に前記一対の切妻屋根パネルの間に折り込まれる一対の妻壁パネルと、前記一対の切妻屋根パネルの上端と前記一対の妻壁パネルの上端とが接合されて形成されるトップシールとで構成されるゲーブルトップ型容器であって、
前記一対の妻壁パネルには、左右方向外側から左右方向内側に向かって水平方向に対して上方に傾斜して延びる一対の折込線がそれぞれ形成され、
一対の妻壁パネルを展開状態において比較した際、非開封部側の前記折込線は、開封部側の前記折込線よりも左右方向内側を通るように形成されていることを特徴とするゲーブルトップ型容器。
【請求項２】
請求項１に記載のゲーブルトップ型容器において、
非開封部側の前記折込線は、その上端および下端を結ぶ仮想直線に対して左右方向内側を通って形成されることを特徴とするゲーブルトップ型容器。
【請求項３】
請求項１または請求項２に記載のゲーブルトップ型容器において、
非開封部側の前記一対の折込線の上端は互いに同位置にあり、
非開封部側の前記一対の折込線の上端および下端をそれぞれ結んだ直線と前記一対の折込線の下端同士を結んだ直線とによって構成される三角形の面積に対する、非開封部側の前記一対の折込線と前記一対の折込線の下端同士を結ぶ直線とに囲まれる面積の割合が９０％以下であることを特徴とするゲーブルトップ型容器。
【請求項４】
請求項１から請求項３のいずれかに記載のゲーブルトップ型容器において、
非開封部側の前記妻壁パネルには、非開封部側の前記折込線に接し、かつ、前記折込線と非開封部側の前記妻壁パネルの隅部とを結ぶ折曲補助線が形成されることを特徴とするゲーブルトップ型容器。
【請求項５】
請求項１から請求項４のいずれかに記載のゲーブルトップ型容器において、
非開封部側の前記妻壁パネルには、非開封部側の前記一対の折込線を互いに結ぶ水平な折曲補助線が形成されることを特徴とするゲーブルトップ型容器。
【請求項６】
請求項１から請求項５のいずれかに記載のゲーブルトップ型容器において、
非開封部側の前記妻壁パネルと前記筒状胴部との境界には、下に向かって凸曲線状の頂部横折線が設けられていることを特徴とするゲーブルトップ型容器。
【発明の詳細な説明】
【技術分野】
【０００１】
本発明は、牛乳やジュース等の飲料液体を収容するゲーブルトップ型容器に関する。
【背景技術】
【０００２】
従来、牛乳カートンに代表される飲料用の紙容器としては、表裏面に熱可塑性樹脂を積層した板紙素材で構成されるゲーブルトップ型容器がある。このゲーブルトップ型容器は、飲料液体が収容される角筒状の筒状胴部と、この筒状胴部の上端に連接していると共に開封部側および非開封部側を有する切妻屋根とを備える。切妻屋根は、一対の切妻屋根パネルと、この一対の切妻屋根間に水平方向の罫線により内向きに折り込まれた一対の妻壁パネルと、これらの上端を接合して形成されるトップシールとを備える（特許文献１参照）。このようなゲーブルトップ型容器の開封は次の通りに行う。まず、一対の切妻屋根パネルの間に指を差し入れつつ、これら切妻屋根パネルをそれぞれ挟み持って左右方向に離反させ、開封部側でトップシールを剥がしながら妻壁パネルを折り返して前方に突出させる。このようにして開封部を開封する。
【先行技術文献】
【特許文献】
【０００３】
【特許文献１】実開平７−３３８２０号公報
【発明の概要】
【発明が解決しようとする課題】
【０００４】
前述したゲーブルトップ型容器は、開封部側と非開封部側とが対称かつ同形状をしている。このため、開封部側と非開封部側とを判別し難く、開封部側ではなく非開封部側が誤って開封されてしまう虞がある。そこで、非開封部側が誤って開封されるのをなくすため、開封部側と非開封部側とでトップシールの接合強度を異ならせることが考えられる。つまり、前述したゲーブルトップ型容器では、トップシールの開封部側に剥離ニスをコートするなどして接合強度が非開封部側よりも低くされる。しかし、このような構成でも、開封部側と非開封部側との形状は同じであるため、これらの接合強度の差が認識されないまま、非開封部側が誤って開封されてしまう可能性がある。
【０００５】
また、ゲーブルトップ型容器の一つとしての牛乳容器には、トップシールの非開封部側にＪＡＳ法（農林物資の規格化及び品質表示の適正化に関する法律（JAS: Japanese Agricultural Standard））に則った切り欠きが設けられる。この切り欠きは、視覚障害者でも、様々な容器の中から牛乳容器を識別可能にすることを目的として牛乳容器だけに設けられる。しかし、この切り欠きは、牛乳以外の飲料容器への使用が禁じられているため、これを牛乳容器以外の様々なゲーブルトップ型容器に採用することはできない。また、この切り欠きに対する健常者の認知度は未だ高いとはいえない。さらに、この切り欠きは、視覚により識別可能であるが、ゲーブルトップ型容器の開封時にほとんど触られないトップシールに設けられるため、開封部側と非開封部側との開封作業に触覚的な差異が生じ難い。従って、この切り欠きでは、ゲーブルトップ型容器の開封部側と非開封部側とを触覚により判別することは困難である。これは、ゲーブルトップ型容器の開封部側に「あけくち」と表記しても同様に、触覚による判別は困難である。
【０００６】
本発明の目的は、開封部側と非開封部側とを触覚により簡単に判別できるゲーブルトップ型容器を提供するところにある。
【課題を解決するための手段】
【０００７】
本発明は以下の構成によるものである。
（１）筒状胴部と、前記筒状胴部の下端に連接した底部と、前記筒状胴部の上端に連接しているとともに、前後方向で対向する開封部側および非開封部側を有する切妻屋根とを備え、前記切妻屋根は、左右方向で互いに対向する一対の切妻屋根パネルと、左右方向に交差する前後方向で互いに対向すると共に前記一対の切妻屋根パネルの間に折り込まれる一対の妻壁パネルと、前記一対の切妻屋根パネルの上端と前記一対の妻壁パネルの上端とが接合されて形成されるトップシールとで構成されるゲーブルトップ型容器であって、前記一対の妻壁パネルには、左右方向外側から左右方向内側に向かって水平方向に対して上方に傾斜して延びる一対の折込線がそれぞれ形成され、一対の妻壁パネルを展開状態において比較した際、非開封部側の前記折込線は、開封部側の前記折込線よりも左右方向内側を通るように形成されていることを特徴とするゲーブルトップ型容器。
（２）上記（１）に記載のゲーブルトップ型容器において、非開封部側の前記折込線は、その上端および下端を結ぶ仮想直線に対して左右方向内側を通って形成されることを特徴とするゲーブルトップ型容器。
（３）上記（１）または（２）に記載のゲーブルトップ型容器において、非開封部側の前記一対の折込線の上端は互いに同位置にあり、非開封部側の前記一対の折込線の上端および下端をそれぞれ結んだ直線と前記一対の折込線の下端同士を結んだ直線とによって構成される三角形の面積に対する、非開封部側の前記一対の折込線と前記一対の折込線の下端同士を結ぶ直線とに囲まれる面積の割合が９０％以下であることを特徴とするゲーブルトップ型容器。
（４）上記（１）から（３）のいずれかに記載のゲーブルトップ型容器において、非開封部側の前記妻壁パネルには、非開封部側の前記折込線に接し、かつ、前記折込線と非開封部側の前記妻壁パネルの隅部とを結ぶ折曲補助線が形成されることを特徴とするゲーブルトップ型容器。
（５）上記（１）から（４）のいずれかに記載のゲーブルトップ型容器において、非開封部側の前記妻壁パネルには、非開封部側の前記一対の折込線を互いに結ぶ水平な折曲補助線が形成されることを特徴とするゲーブルトップ型容器。
（６）請求項（１）から（５）のいずれかに記載のゲーブルトップ型容器において、非開封部側の前記妻壁パネルと前記筒状胴部との境界には、下に向かって凸曲線状の頂部横折線が設けられていることを特徴とするゲーブルトップ型容器。
【発明の効果】
【０００８】
本発明によれば、開封部側と非開封部側とを触覚により簡単に判別できるゲーブルトップ型容器を提供できる。
【図面の簡単な説明】
【０００９】
【図１】本発明の第一実施形態を示す斜視図。
【図２】第一実施形態を示す展開図。
【図３】第一実施形態の後面の要部を示す説明図。
【図４】第一実施形態の前面の要部を示す説明図。
【図５】本発明の第二実施形態を示す斜視図。
【図６】第二実施形態を示す展開図。
【図７】第二実施形態の後面の要部を示す説明図。
【図８】本発明の第三実施形態を示す斜視図。
【図９】第三実施形態を示す展開図。
【図１０】第三実施形態の後面の要部を示す説明図。
【図１１】本発明の第四実施形態を示す斜視図。
【図１２】第四実施形態を示す展開図。
【図１３】第四実施形態の後面の要部を示す説明図。
【図１４】本発明の変形例を示す斜視図。
【発明を実施するための形態】
【００１０】
本発明のゲーブルトップ型容器は、筒状胴部と、前記筒状胴部の下端に連接した底部と、前記筒状胴部の上端に連接しているとともに、前後方向で対向する開封部側および非開封部側を有する切妻屋根とを備え、前記切妻屋根は、左右方向で互いに対向する一対の切妻屋根パネルと、左右方向に交差する前後方向で互いに対向すると共に前記一対の切妻屋根パネルの間に折り込まれる一対の妻壁パネルと、前記一対の切妻屋根パネルの上端と前記一対の妻壁パネルの上端とが接合されて形成されるトップシールとで構成されるゲーブルトップ型容器であって、前記一対の妻壁パネルには、左右方向外側から左右方向内側に向かって水平方向に対して上方に傾斜して延びる一対の折込線がそれぞれ形成され、一対の妻壁パネルを展開状態において比較した際、非開封部側の前記折込線は、開封部側の前記折込線よりも左右方向内側を通るように形成されていることを特徴とする。
このような本発明では、非開封部側の妻壁パネルは、左右方向内側を通って形成されている折込線に沿って谷折りされて一対の切妻屋根パネル間に折り込まれるため、一対の切妻屋根パネルの間で非開封部側の妻壁パネルに囲まれる空間は狭く形成される。この空間は、一対の切妻屋根パネルの間で開封部側の妻壁パネルに囲まれる空間よりも狭い。
このように構成されたゲーブルトップ型容器の非開封部側では、一対の切妻屋根パネルの間に指（親指など）を差し入れにくく、一対の切妻屋根パネルの非開封部側の部分も親指および人差し指などにより挟み持ちしにくい。このように非開封部側は開封しづらく構成される。これに対し、開封部側では、一対の切妻屋根パネルの間に指を差し入れやすく、一対の切妻屋根パネルの開封部側の部分も親指および人差し指などにより挟み持ちしやすい。このように開封部側は非開封部側に対して開封しやすく構成される。従って、非開封部側と開封部側とを触覚により簡単に判別できる。
また、このようなゲーブルトップ型容器によれば、開封時における一連の動作において開封部側と非開封部側とが触覚により判別可能に構成されているため、非開封部側であることに気付かれずに誤って開封される可能性を大幅に減少できる。
【００１１】
本発明の非開封部側の前記折込線は、その上端および下端を結ぶ仮想直線に対して左右方向内側を通って形成されることが好ましい。
このような構成によれば、非開封部側の妻壁パネルが一対の切妻屋根パネルから左右方向内側に離れた位置で折込線に沿って折られるため、非開封部側から一対の切妻屋根パネルの間に指を差し入れにくく、一対の切妻屋根パネルの非開封部側を挟み持ちにくい。従って、触覚により非開封部側を簡単に判別できる。
【００１２】
本発明のゲーブルトップ型容器では、非開封部側の前記一対の折込線の上端は互いに同位置にあり、非開封部側の前記一対の折込線の上端および下端をそれぞれ結んだ直線と前記一対の折込線の下端同士を結んだ直線とによって構成される三角形の面積に対する、非開封部側の前記一対の折込線と前記一対の折込線の下端同士を結ぶ直線とに囲まれる面積の割合が９０％以下であることが好ましい。
このような構成によれば、一対の切妻屋根パネルの間で非開封部側の妻壁パネルに囲まれる空間を十分に狭くすることができ、非開封部側をより簡単に判別できる。
【００１３】
本発明の非開封部側の前記妻壁パネルには、非開封部側の前記折込線に接し、かつ、前記折込線と非開封部側の前記妻壁パネルの隅部とを結ぶ折曲補助線が形成されることが好ましい。
このような構成では、非開封部側の妻壁パネルがその折込線に沿って折り込まれる際、この妻壁パネルの折込線よりも左右方向外側の部分に撓みが生じるが、この撓みを利用して前記部分を折曲補助線に沿って所定位置で折り曲げることができる。これにより、非開封部側を所定形状に形成できる。
【００１４】
本発明の非開封部側の前記妻壁パネルには、非開封部側の前記一対の折込線を互いに結ぶ水平な折曲補助線が形成されることが好ましい。
このような構成では、非開封部側の妻壁パネルがその折込線に沿って折り込まれる際、この妻壁パネルの左右方向内側の部分に撓みが生じるが、この撓みを利用して前記部分を水平な折曲補助線に沿って所定位置で折り曲げることができる。これにより、非開封部側を所定形状に形成できる。
【００１５】
本発明のゲーブルトップ型容器では、非開封部側の前記妻壁パネルと前記筒状胴部との境界には、下に向かって凸曲線状の頂部横折線が設けられていることが好ましい。
このような構成によれば、非開封部側の妻壁パネルを、皺等を発生させずに無理なく折り込むことができる。
【００１６】
［第一実施形態］
以下、本発明の第一実施形態を図面に基づいて説明する。
図１は、本実施形態のゲーブルトップ型容器１を後方から見た状態を示す斜視図である。図２は、ゲーブルトップ型容器１を示す展開図である。図３は、ゲーブルトップ型容器１の後面の要部を示す説明図である。図４は、ゲーブルトップ型容器１の前面の要部を示す説明図である。図１において、矢印Ｘがゲーブルトップ型容器１の前後方向であり、矢印Ｙが左右方向であり、矢印Ｚが縦方向である。Ｘ，Ｙ，Ｚで示す方向は互いに直交している。
【００１７】
図１〜図４において、本実施形態のゲーブルトップ型容器１は、牛乳やジュース等の飲料液体を収容する容器であり、角筒状の筒状胴部２と、筒状胴部２の下端に連接した底部３と、筒状胴部２の上端に連接した切妻屋根４とを備える。筒状胴部２は、所定の収容容積を有する。切妻屋根４は、前後方向の前方側に開封部４Ｂを有し、後方側に非開封部４Ａを有する。ゲーブルトップ型容器１は、開封部４Ｂ側で開封されることで注ぎ口が形成される。なお、ゲーブルトップ型容器１は、表裏面に熱可塑性樹脂を積層した板紙素材で構成される。
【００１８】
筒状胴部２は、胴部縦折線２０を介して連なる四つの胴部パネル２１，２２，２３，２４と、胴部パネル２１にシール縦折線２０Ａを介して連なった縦方向に延びたシールパネル２５とを備える。展開した状態において筒状胴部２の一方の端縁側を形成する胴部パネル２４の側縁部２４Ａは、シールパネル２５に加熱により接合される。この接合により、胴部パネル２１，２２，２３，２４は、角筒状の筒状胴部２を形成する（図１参照）。
【００１９】
底部３は、図２に示すように、筒状胴部２の下端に底部横折線３０を介してそれぞれ連接した互いに連なる四つの底部パネル３１，３２，３３，３４と、底部パネル３１にシール縦折線３５Ａを介して連なったシールパネル３５とを備える。底部パネル３１，３２，３３，３４は、胴部パネル２１，２２，２３，２４の下端に底部横折線３０を介してそれぞれ連接している。シールパネル３５の上端はシールパネル２５の下端に連接している。底部パネル３１，３３には、谷折線３１Ｃ，３３Ｃが形成されている。底部パネル３４の側縁部３４Ａは、シールパネル３５に加熱により接合される。底部パネル３１，３３は、筒状胴部２が角筒状に形成された状態において底部パネル３２，３４間に底部横折線３０により内向きに折り込まれ、谷折線３１Ｃ，３３Ｃに沿って谷折りされることで、底部パネル３２，３４と重ね合わされる。底部パネル３１，３２，３３，３４の重ね合わせ部分全体は互いに加熱によりシールされる。
【００２０】
切妻屋根４は、筒状胴部２の上端に頂部横折線４０（４０Ａ，４０Ｂ）を介してそれぞれ連接した互いに連なる一対の妻壁パネル４１，４３および一対の切妻屋根パネル４２，４４と、妻壁パネル４１にシール縦折線４５Ａを介して連なったシールパネル４５とを備える。非開封部４Ａを構成する妻壁パネル４１は後方に位置し、開封部４Ｂ側を構成する妻壁パネル４３は前方に位置する。妻壁パネル４１，４３は、胴部パネル２１，２３の上端に妻壁パネル側の頂部横折線４０Ａを介してそれぞれ連接している。シールパネル４５の下端はシールパネル２５の上端に連接している。切妻屋根パネル４２，４４は、胴部パネル２２，２４の上端に切妻屋根パネル側の頂部横折線４０Ｂを介してそれぞれ連接している。妻壁パネル４１，４３は前後方向で互いに対向し、切妻屋根パネル４２，４４は左右方向で互いに対向している。切妻屋根パネル４４の側縁部４４Ａは、シールパネル４５に加熱により接合される。
【００２１】
頂部横折線４０Ａは、左右方向に水平に延び、妻壁パネル４１および胴部パネル２１の境界と、妻壁パネル４３および胴部パネル２３の境界とにそれぞれ設けられている。頂部横折線４０Ｂは、前後方向に水平に延び、切妻屋根パネル４２および胴部パネル２２の境界と、切妻屋根パネル４４および胴部パネル２４の境界とにそれぞれ設けられている。
【００２２】
妻壁パネル４１には、図２，図３に示すように、一対の折込線４１１と、折込線４１１に対して左右方向外側に位置している直線状の一対の折曲補助線４１２と、折込線４１１に対して左右方向内側に位置している直線状の折曲補助線４１３と、水平方向に延びる山折線４１Ｃとが形成されている。また、妻壁パネル４１は、山折線４１Ｃの上方に位置し、かつ筒状胴部２が角筒状に形成された状態において切妻屋根パネル４４側に位置するトップ部４１Ａと、トップ部４１Ａに隣接するとともに、山折線４１Ｃの上方に位置し、かつ切妻屋根パネル４２側に位置するトップ部４１Ｂとを備える。
【００２３】
一対の折込線４１１は、左右方向外側から左右方向内側に向かって水平方向に対して上方に傾斜し、それぞれ二本の直線４１１Ａ，４１１Ｂによって互いに折曲した形状に構成されている。直線４１１Ａは直線４１１Ｂに対して上方に位置し、一対の折込線４１１の互いの折曲部分は、折込線４１１の下端および上端を結ぶ仮想直線４１Ｅに対して内側に位置している。一対の折込線４１１の下端（直線４１１Ｂの下端）は、胴部縦折線２０および頂部横折線４０Ａの交点Ａにそれぞれ位置している。一対の折込線４１１の上端（直線４１１Ａの上端）は同位置にあり、山折線４１Ｃの中央の交点Ｂに位置している。なお、図３において、直線４１１Ａは折曲補助線４１２と重なって示される。
【００２４】
一対の折曲補助線４１２は、左右方向外側から左右方向内側に向かって水平方向に対して下方に傾斜して延びている。折曲補助線４１２の上端は、山折線４１Ｃと妻壁パネル４１の隅部との交点Ｃにそれぞれ位置している。折曲補助線４１２のそれぞれの下端は、折込線４１１の折曲部分、すなわち直線４１１Ａおよび直線４１１Ｂの交点Ｄに位置している。
折曲補助線４１３は、左右方向に水平に延び、一対の折込線４１１を互いに結んでいる。折曲補助線４１３の両端は、前述した交点Ｄにそれぞれ位置している。
【００２５】
一対の折込線４１１の上端および下端をそれぞれ結ぶ直線と一対の折込線４１１の下端同士を結ぶ直線とによって構成される三角形の面積に対する、一対の折込線４１１とこれらの下端同士を結ぶ直線とに囲まれる面積の割合は、９０％以下である。
【００２６】
妻壁パネル４３には、水平方向に延びる山折線４３Ｃと、左右方向外側から左右方向内側に向かって水平方向に対して上方に傾斜して延びる一対の折込線４３１とが形成されている。また、妻壁パネル４３は、山折線４３Ｃの上方に位置し、かつ切妻屋根パネル４２側に位置するトップ部４３Ａと、トップ部４３Ａに隣接するとともに、山折線４３Ｃの上方に位置し、かつ筒状胴部２が角筒状に形成された際に隣接する切妻屋根パネル４４側に位置するトップ部４３Ｂとを備える。
【００２７】
一対の折込線４３１の下端は、胴部縦折線２０、頂部横折線４０Ａの交点Ｅにそれぞれ位置している。一対の折込線４３１の上端は同位置にあり、山折線４３Ｃの中央の交点Ｆに位置している。一対の折込線４３１は、交点Ｅ，Ｆを結ぶ仮想直線と同一の直線で構成されている。ここで、図２に示す展開状態で妻壁パネル４１，４３を重ね合わせて比較すると、折込線４１１は、折込線４３１よりも左右方向内側に位置している。これにより、ゲーブルトップ型容器１の形成時において、切妻屋根パネル４２,４４間に折り込まれた妻壁パネル４１で囲まれてなる空間は、切妻屋根パネル４２，４４間に折り込まれた妻壁パネル４３で囲まれてなる空間よりも狭く形成される。
【００２８】
切妻屋根パネル４２には、水平方向に延びる谷折線４２Ｃと、水平方向に対して傾斜して延びる谷折線４２Ｄとが形成されている。切妻屋根パネル４２は、谷折線４２Ｃの上方に位置するトップ部４２Ｂを備える。
【００２９】
切妻屋根パネル４４には、水平方向に延びる谷折線４４Ｃと、水平方向に対して傾斜して延びる谷折線４４Ｄとが形成されている。切妻屋根パネル４４は、谷折線４４Ｃの上方に位置するトップ部４４Ｂを備える。なお、切妻屋根パネル４２，４４は開封部４Ｂ側と非開封部４Ａ側とで対称に形成されている。
【００３０】
筒状胴部２が角筒状に形成された状態において、妻壁パネル４１は、折込線４１１で谷折りされながら頂部横折線４０Ａにより内向きに折り曲げられて、切妻屋根パネル４２，４４の間に折り込まれる。折込線４１１で谷折りされる際、妻壁パネル４１は、折曲補助線４１２で山折りされ、折曲補助線４１３で谷折りされて、前述した折込線４１１での折り曲げを補助する。妻壁パネル４３は、折込線４３１で谷折りされながら頂部横折線４０Ａにより内向きに折り曲げられて、切妻屋根パネル４２，４４の間に折り込まれる。切妻屋根パネル４２，４４は、妻壁パネル４１，４３の折り込みに連動して頂部横折線４０Ｂにより内向きに折り曲げられる。
【００３１】
そして、切妻屋根パネル４２，４４は、谷折線４２Ｃ，４４Ｃに沿ってそれぞれ谷折りされ、かつ妻壁パネル４１，４３は、山折線４１Ｃ，４３Ｃに沿ってそれぞれ山折りされ、トップ部４２Ｂ，４４Ｂの間にトップ部４１Ａ，４１Ｂ，４３Ａ，４３Ｂを介在させる。この際、トップ部４１Ａ，４３Ｂはトップ部４４Ｂの内側に接触され、トップ部４１Ｂ，４３Ａはトップ部４２Ｂの内側に接触される。そして、これらのトップ部４１Ａ，４１Ｂ，４２Ｂ，４３Ａ，４３Ｂ，４４Ｂは加熱により互いに接合されることでトップシール４６を形成する。トップシール４６は、その開封部４Ｂに剥離ニスがコートされて接合強度が非開封部４Ａよりも弱くなっている。トップシール４６は、開封部４Ｂ側と非開封部４Ａ側とで互いに等しい縦方向における接合幅を有している。
【００３２】
このように構成されたゲーブルトップ型容器１では、トップシール４６の開封部４Ｂ側のシールが剥がされ、妻壁パネル４３が前方に折り返されることで、開封部４Ｂ側が開封され、開封部４Ｂに注ぐ口が形成される。これにより、内部の飲料液体を注ぐことが可能な状態になる。
【００３３】
以上のような本実施形態によれば、次のような効果が得られる。
（１）妻壁パネル４１，４３は、その折込線４１１，４３１に沿って谷折りされて切妻屋根パネル４２，４４間に折り込まれるため、切妻屋根パネル４２，４４の間で妻壁パネル４１に囲まれる空間は狭く形成される。この空間は、切妻屋根パネル４２，４４の間で開封部４Ｂ側の妻壁パネル４３に囲まれる空間よりも狭い。
このように構成されたゲーブルトップ型容器１の非開封部４Ａ側では、切妻屋根パネル４２，４４の間に親指などを差し入れにくく、切妻屋根パネル４２，４４の非開封部４Ａ側の部分も親指および人差し指などにより挟み持ちしにくい。このように非開封部側は開封しづらく構成される。これに対し、開封部４Ｂ側では、切妻屋根パネル４２，４４の間に指を差し入れやすく、切妻屋根パネル４２，４４の開封部４Ｂ側の部分も親指および人差し指などにより挟み持ちしやすい。このように開封部４Ｂ側は非開封部４Ａ側に対して開封しやすく構成される。従って、非開封部４Ａ側と開封部４Ｂ側とを触覚により簡単に判別できる。
また、このようなゲーブルトップ型容器１によれば、開封時における一連の動作において開封部４Ｂ側と非開封部４Ａ側とを触覚により判別可能に構成されているため、非開封部４Ａ側であることに気付かれずに誤って開封される可能性を大幅に減少できる。
（２）非開封部４Ａ側の妻壁パネル４１が切妻屋根パネル４２，４４から左右方向内側に離れた位置で折込線４１１に沿って折られるため、非開封部４Ａ側から切妻屋根パネル４２，４４の間に指を差し入れにくく、切妻屋根パネル４２，４４の非開封部４Ａ側を挟み持ちにくい。従って、触覚により非開封部４Ａ側を簡単に判別できる。
（３）前記実施形態では、折込線４１１の上端）および下端をそれぞれ結んだ直線と一対の折込線４１１の下端同士を結ぶ直線とによって構成される三角形の面積に対する、折込線４１１とこの折込線４１１の下端同士を結ぶ頂部横折線４０Ａとに囲まれる面積の割合が９０％以下である。このため、切妻屋根パネル４２，４４の間で非開封部４Ａ側の妻壁パネル４１に囲まれる空間を十分に狭くでき、非開封部４Ａ側をより簡単に判別できる。
（４）前記実施形態では、妻壁パネル４１に折曲補助線４１２が形成されている。このため、妻壁パネル４１がその折込線４１１に沿って折り込まれる際、折込線４１１よりも左右方向外側の部分に生じる撓みを利用して、前述した部分を折曲補助線４１２に沿って所定位置で折り曲げることができる。これにより、非開封部４Ａ側を所定形状に形成できる。
（５）前記実施形態では、妻壁パネル４１に折曲補助線４１３が形成されている。このため、妻壁パネル４１がその折込線４１１に沿って折り込まれる際、妻壁パネル４１の左右方向内側の部分に生じる撓みを利用して、前述した部分を水平な折曲補助線４１３に沿って所定位置で折り曲げることができる。これにより、非開封部４Ａ側を所定形状に形成できる。
【００３４】
［第二実施形態］
以下、本発明の第二実施形態を図面に基づいて説明する。
図５〜図７に示す第二実施形態に係るゲーブルトップ型容器１Ａは、ゲーブルトップ型容器１と同様の基本構成を備えている。
ただし、一対の折込線４１１は三本の直線４１１Ａ，４１１Ｂ，４１１Ｃによってそれぞれ構成されている。左右一方側の折込線４１１は、上端が共通の交点Ｃに位置する二本の折曲補助線４１２にそれぞれ接し、左右他方側の折込線４１１は、上端が共通の交点Ｃに位置する他の二本の折曲補助線４１２にそれぞれ接している。そして、前述した折曲補助線４１２の下端は、二本の折曲補助線４１３でそれぞれ結ばれている。
このように構成されたゲーブルトップ型容器１Ａでも、ゲーブルトップ型容器１と同様の作用効果を発揮できる。
【００３５】
［第三実施形態］
以下、本発明の第三実施形態を図面に基づいて説明する。
図８〜図１０に示す第三実施形態に係るゲーブルトップ型容器１Ｂは、ゲーブルトップ型容器１と同様の基本構成を備えている。
ただし、一対の折込線４１１は、四本の直線４１１Ａ，４１１Ｂ，４１１Ｃ，４１１Ｄによってそれぞれ構成されている。四本の直線４１１Ａ，４１１Ｂ，４１１Ｃ，４１１Ｄのうち最も上方に位置する直線４１１Ａは、水平方向に対して傾斜してそれぞれ別個に設けられてもよいが、ここでは、縦方向に沿って延びた共通の直線によって構成されている。左右一方側の折込線４１１には、上端が共通の交点Ｃに位置する三本の折曲補助線４１２のそれぞれが接し、左右他方側の折込線４１１には、上端が共通の交点Ｃに位置する他の三本の折曲補助線４１２のそれぞれが接している。そして、前述した三本のうち下方側の二本の折曲補助線４１２の下端は、二本の折曲補助線４１３でそれぞれ結ばれている。
このように構成されたゲーブルトップ型容器１Ｂでも、ゲーブルトップ型容器１と同様の作用効果を発揮できる。
【００３６】
［第四実施形態］
以下、本発明の第四実施形態を図面に基づいて説明する。
図１１〜図１３に示す第四実施形態に係るゲーブルトップ型容器１Ｃは、ゲーブルトップ型容器１と同様の基本構成を備えている。
ただし、一対の折込線４１１は、複数の直線ではなく左右方向内側に向かって凸状の曲線によって構成されている。そして、折曲補助線４１２，４１３の構成は省かれている。
このように構成されたゲーブルトップ型容器１Ｃでも、ゲーブルトップ型容器１と同様の作用効果を発揮できる。
【００３７】
［変形例］
なお、本発明は前述した実施形態に限定されるものではなく、本発明の目的を達成できる範囲での変形、改良等は本発明に含まれるものである。
例えば、前記実施形態では、妻壁パネル４１と筒状胴部２との境界に設けられる頂部横折線４０Ａは直線によって構成されているが、これに限定されず、例えば曲線によって構成されていてもよい。この曲線は、例えば図１４に示すように下に向かって凸状の曲線であってもよい。この構成によれば、妻壁パネル４１を、皺等を発生させずに無理なく折り込むことができる。
【００３８】
前記実施形態では、一対の折込線４１１が二〜四本の直線によってそれぞれ構成されているが、これに限定されず、例えば、五本以上の複数の直線、または曲線によって構成されていてもよい。
【００３９】
前記実施形態では、シールパネル２５，４５は同幅をもって形成されているが、これに限定されず、例えば、シールパネル２５，４５と頂部横折線４０とが重ねられる部分の幅が所定長さにわたって狭く形成されていてもよい。これにより、前述した部分を無理なく簡単に折り曲げることができる。
【００４０】
前記実施形態では、トップシール４６は、開封部４Ｂ側と非開封部４Ａ側とで互いに等しい接合幅を有しているが、これに限定されず、例えば、非開封部４Ａ側よりも開封部４Ｂ側で狭い接合幅を有していてもよい。
【産業上の利用可能性】
【００４１】
本発明は、牛乳やジュース等の飲料液体が収容される筒状胴部と、開封部４Ｂ側と非開封部４Ａ側とを有する切妻屋根とを備えた様々なゲーブルトップ型容器に利用できる。
【符号の説明】
【００４２】
１，１Ａ，１Ｂ，１Ｃ…ゲーブルトップ型容器、２…筒状胴部、２１〜２４…胴部パネル、２５，３５，４５…シールパネル、３…底部、３１〜３４…底部パネル、４…切妻屋根、４Ａ…非開封部、４Ｂ…開封部、４０，４０Ａ，４０Ｂ…頂部横折線、４１，４３…妻壁パネル、４１１，４３１…折込線、４１２，４１３…折曲補助線、４２，４４…切妻屋根パネル、４６…トップシール。
【図１】
2015085945.tif 000003
【図２】
2015085945.tif 000004
【図３】
2015085945.tif 000005
【図４】
2015085945.tif 000006
【図５】
2015085945.tif 000007
【図６】
2015085945.tif 000008
【図７】
2015085945.tif 000009
【図８】
2015085945.tif 000010
【図９】
2015085945.tif 000011
【図１０】
2015085945.tif 000012
【図１１】
2015085945.tif 000013
【図１２】
2015085945.tif 000014
【図１３】
2015085945.tif 000015
【図１４】
2015085945.tif 000016